(57)【要約】【課題】収穫物の収容量増大による機体の左右重量バランスの変動をできるだけ小さく抑えて作業性及び機体操縦性を向上させ、且つ、収穫物の機体積載量を増大して作業能率の向上を図ることを課題とするものである。【解決手段】収穫装置５は、左側の走行装置３の上方に重なる位置で機体前部から機体後部にかけて配置し、側部収容台９は、右側の走行装置３の外側方で機体前部から機体後部にかけて配置し、操縦部１３は、右側の走行装置３の前部上方に重なるように配置し、前部収容台１１は、側部収容台９より機体左右方向内側で右側の走行装置３の前方に配置し、収穫物受入部Ｒを右側の走行装置３の後方で前記側部収容台９の後部の機体左右方向内側に近接配置する。【選択図】図１
2004187572.tif 000002
【特許請求の範囲】
【請求項１】
機体を自走させるクローラ式走行装置３，３を左右に設けた走行機体に、野菜を圃場から取上げ搬送する搬送手段を備えた収穫装置５と、操縦者が搭乗して機体を操縦する操縦部１３と、前記収穫装置５が収穫した収穫物をコンテナ内に受入れる収穫物受入部Ｒと、前記収穫装置５が搬送する収穫物を受継いで搬送し前記収穫物受入部Ｒに載置したコンテナ内に投入する収穫物搬送装置７と、前記収穫物受入部Ｒから取出された収穫物収容済みコンテナＷを機体の一側部に前後方向に整列載置する側部収容台９と機体前部に載置する前部収容台１１を設けた野菜収穫機において、
前記収穫装置５は、左側の走行装置３の上方に重なる位置で機体前部から機体後部にかけて配置し、前記側部収容台９は、右側の走行装置３の外側方で機体前部から機体後部にかけて配置し、前記操縦部１３は、右側の走行装置３の前部上方に重なるように配置し、前記前部収容台１１は、側部収容台９より機体左右方向内側で右側の走行装置３の前方に配置し、前記収穫物受入部Ｒを右側の走行装置３の後方で前記側部収容台９の後部の機体左右方向内側に近接配置したことを特徴とする野菜収穫機。
【発明の詳細な説明】
【０００１】
【発明の属する技術分野】
本発明は、圃場から収穫した野菜をコンテナに収容して収穫作業を進める野菜収穫機に関する。
【０００２】
【従来の技術】
従来、特許文献１，２に示されるように、機体を自走させるクローラ式走行装置を左右に設けた走行機体に、野菜を圃場から取上げ搬送する搬送手段を備えた収穫装置と、操縦者が搭乗して機体を操縦する操縦部と、前記収穫装置が収穫した収穫物をコンテナ内に受入れる収穫物受入部と、前記収穫装置が搬送する収穫物を受継いで搬送し前記収穫物受入部に載置したコンテナ内に投入する収穫物搬送装置と、前記収穫物受入部から取出された収穫物収容済みコンテナを機体の一側部に前後方向に整列載置する側部収容台と機体前部に載置する前部収容台を設けた野菜収穫機があった。
そして、特許文献１，２に記載の野菜収穫機は、収穫装置は機体左側で機体前部から機体後部にかけて配置し、操縦部は機体右側に配置し、側部収容台は機体右側端部で機体前部から機体後部にかけて配置し、前部収容台は機体右側前部に配置し、収穫物受入部を機体右側端部に配置した側部収容台の後部に設けたものである。
【特許文献１】特開平８−２５６５５２号公報
【特許文献２】特開平８−２８９６４２号公報
【０００３】
【発明が解決しようとする課題】
上記従来の野菜収穫機は、機体右側端部に側部収容台を設けたものであり、しかも、その側部収容台の後部に収穫物受入部を設けたものなので、収穫物の収容量が増加するにともない機体右側端部側の重量が増加する。一方、機体左側端部は重量一定の収穫装置を配置している。このため、この種の野菜収穫機においては、機体の左右重量バランスが大きく変動するものであり、これにともない、左右の走行装置の接地圧が変動して直進性が低下し、野菜が植生する列に沿った直進作業走行が適確に行いにくく、作業性、機体の操縦性が良くなかった。そこで、本発明は、収穫物の収容量増大による機体の左右重量バランスの変動をできるだけ小さく抑えて作業性及び機体操縦性を向上させ、且つ、収穫物の機体積載量を増大して作業能率の向上を図ることを課題とするものである。
【０００４】
【課題を解決するための手段】
上記課題を解決するために、請求項１に係る発明は、機体を自走させるクローラ式走行装置３，３を左右に設けた走行機体に、野菜を圃場から取上げ搬送する搬送手段を備えた収穫装置５と、操縦者が搭乗して機体を操縦する操縦部１３と、前記収穫装置５が収穫した収穫物をコンテナ内に受入れる収穫物受入部Ｒと、前記収穫装置５が搬送する収穫物を受継いで搬送し前記収穫物受入部Ｒに載置したコンテナ内に投入する収穫物搬送装置７と、前記収穫物受入部Ｒから取出された収穫物収容済みコンテナＷを機体の一側部に前後方向に整列載置する側部収容台９と機体前部に載置する前部収容台１１を設けた野菜収穫機において、前記収穫装置５は、左側の走行装置３の上方に重なる位置で機体前部から機体後部にかけて配置し、前記側部収容台９は、右側の走行装置３の外側方で機体前部から機体後部にかけて配置し、前記操縦部１３は、右側の走行装置３の前部上方に重なるように配置し、前記前部収容台１１は、側部収容台９より機体左右方向内側で右側の走行装置３の前方に配置し、前記収穫物受入部Ｒを右側の走行装置３の後方で前記側部収容台９の後部の機体左右方向内側に近接配置したことを特徴とする野菜収穫機としたものである。
【０００５】
【作用】
上記構成とした野菜収穫機は、操縦者が操縦部１３に搭乗して機体を操縦し、左右のクローラ式走行装置３，３を作動させて機体を走行させる。機体走行中、収穫装置５は、それが備える搬送手段によって野菜を圃場から取上げ搬送する。そして、収穫物搬送装置７が収穫装置５が取上げ搬送した収穫物を受継いで搬送し、収穫物受入部Ｒに載置したコンテナ内に投入する。投入された収穫物でコンテナが満杯になったら、収穫物受入部Ｒからそのコンテナを右側外方に取出して側部収容台９の後部上に移動する。側部収容台９の後部上に移動された収穫物収容済みコンテナＷは、前側にむけて移動させることで、複数のコンテナＷを側部収容台９上に前後整列状態で積載できる。更に、側部収容台９の前部まで収穫物収容済みコンテナＷが積載されて側部収容台９上にコンテナＷが満載状態になるときには、側部収容台９の前部に載置されているコンテナＷを前部収容台１１に移動することで、収穫物収容済みコンテナＷを更に機体に積載でき、よって、圃場端に機体を移動させて収穫物収容済みコンテナＷを機体から降ろすために生じる収穫作業の中断回数が少なくなって、作業能率が向上する。
【０００６】
また、この野菜収穫機は、重量が大きい収穫装置５が左側の走行装置３の上方に重なるように配置されて、収穫装置５の重量が機体の左右反対側の右側走行装置３の接地圧に関与する度合いが少なくなる。このため、右側の走行装置３の外側方で機体前部から機体後部にかけて配置した側部収容台９に載置される収穫物収容済みコンテナＷの積載数が少ないときに、収穫装置５の重量によって左側の走行装置３の接地圧が増大するのをできるだけ小さく抑えられる。また、操縦部１３が右側の走行装置３の前部上方に重なるように配置されるので、操縦部１３に搭乗した操縦者の体重は、機体の左右反対側の左側走行装置３の接地圧に関与する度合いが少なくなる。そして、前部収容台１１が側部収容台９より機体左右方向内側で右側の走行装置３の前方に配置されているので、収穫物収容済みコンテナＷを積載数が増えて前部収容台１１に収穫物収容済みコンテナＷを載置しても、その前部収容台１１に載置した収穫物収容済みコンテナＷの重量は、機体の左右反対側の左側走行装置３の接地圧に関与する度合いを少なく抑えられる。更に、収穫物収容済みコンテナＷを積載数にかかわらず、収穫時において常に収穫物が投入されて収穫物の重量がかかる収穫物受入部Ｒが、側部収容台９より機体左右方向内側で右側の走行装置３の後方に配置されているので、この収穫物受入部Ｒにおける重量についても、機体の左右反対側の左側走行装置３の接地圧に関与する度合いを少なく抑えられる。従って、この野菜収穫機は、上記の配置構成が効果的に統合して、側部収容台９を右側の走行装置３の外側方で機体前部から機体後部にかけて配置したものでありながら、収穫物収容済みコンテナＷの積載数が変動しても機体の左右重量バランスの変動が小さくできて、作業性及び機体の操縦性が良いものとなる。
【０００７】
また、そのように収穫物受入部Ｒを側部収容台９より機体左右方向内側に配置したものでありながら、収穫物受入部Ｒが側部収容台９の後部の機体左右方向内側に近接配置されているので、収穫物受入部Ｒに載置したコンテナが投入された収穫物で満杯になったときそのコンテナを収穫物受入部Ｒから側部収容台９に迅速に移動でき、なお且つ、側部収容台９の後部上に移動された収穫物収容済みコンテナＷを前側にむけて移動させることで容易且つ迅速に側部収容台９上に前後整列状態で積載することができ、また、側部収容台９の前部まで収穫物収容済みコンテナＷが積載されたときに、前部収容台１１への移動も容易に行える。
【０００８】
【発明の効果】
請求項１記載の発明は、上記のように構成したものであるので、側部収容台９を右側の走行装置３の外側方で機体前部から機体後部にかけて配置したものでありながら、収穫物収容済みコンテナＷの積載数が変動しても機体の左右重量バランスの変動が小さくできて、作業性及び機体の操縦性が良く、しかも、収穫物の積載量を増大でき、且つ、その積載も容易に行えて、作業能率が向上する。
【０００９】
【発明の実施の形態】
上記技術思想に基づき具体的に構成された実施の形態について、以下に図面を参照しつつ説明する。本発明に係る野菜収穫機は、その側面図および平面図をそれぞれ図１，図２に示すように、機体を自走させるクローラ式走行装置３，３を左右に設けた走行機体に、野菜を圃場から取上げ搬送する搬送手段を備えた収穫装置５と、操縦者が搭乗して機体を操縦する操縦部１３と、前記収穫装置５が収穫した収穫物をコンテナ内に受入れる収穫物受入部Ｒと、前記収穫装置５が搬送する収穫物を受継いで搬送し前記収穫物受入部Ｒに載置したコンテナ内に投入する収穫物搬送装置７と、前記収穫物受入部Ｒから取出された収穫物収容済みコンテナＷを機体の一側部に前後方向に整列載置する側部収容台９と機体前部に載置する前部収容台１１を設けたものである。
【００１０】
そして、この野菜収穫機は、前記収穫装置５は、左側の走行装置３の上方に重なる位置で機体前部から機体後部にかけて配置し、前記側部収容台９は、右側の走行装置３の外側方で機体前部から機体後部にかけて配置し、前記操縦部１３は、右側の走行装置３の前部上方に重なるように配置し、前記前部収容台１１は、側部収容台９より機体左右方向内側で右側の走行装置３の前方に配置し、前記収穫物受入部Ｒを右側の走行装置３の後方で前記側部収容台９の後部の機体左右方向内側に近接配置したものである。また、図示例においては、収穫装置５の前部に、収穫物の茎葉部を引起す引起し装置６を設け、操縦部１３に、操縦者が座る操縦席７ｂと、走行装置３，３や収穫装置５などの各装置の動作を操作する操作装置を設けている。
【００１１】
上記構成とした野菜収穫機は、操縦者が操縦部１３に搭乗して機体を操縦し、左右のクローラ式走行装置３，３を作動させて機体を走行させる。機体走行中、収穫装置５は、それが備える搬送手段によって野菜を圃場から取上げ搬送する。そして、収穫物搬送装置７が収穫装置５が取上げ搬送した収穫物を受継いで搬送し、収穫物受入部Ｒに載置したコンテナ内に投入する。投入された収穫物でコンテナが満杯になったら、収穫物受入部Ｒからそのコンテナを右側外方に取出して側部収容台９の後部上に移動する。側部収容台９の後部上に移動された収穫物収容済みコンテナＷは、前側にむけて移動させることで、複数のコンテナＷを側部収容台９上に前後整列状態で積載できる。更に、側部収容台９の前部まで収穫物収容済みコンテナＷが積載されて側部収容台９上にコンテナＷが満載状態になるときには、側部収容台９の前部に載置されているコンテナＷを前部収容台１１に移動することで、収穫物収容済みコンテナＷを更に機体に積載でき、よって、圃場端に機体を移動させて収穫物収容済みコンテナＷを機体から降ろすために生じる収穫作業の中断回数が少なくなって、作業能率が向上する。
【００１２】
また、この野菜収穫機は、重量が大きい収穫装置５が左側の走行装置３の上方に重なるように配置されて、収穫装置５の重量が機体の左右反対側の右側走行装置３の接地圧に関与する度合いが少なくなる。このため、右側の走行装置３の外側方で機体前部から機体後部にかけて配置した側部収容台９に載置される収穫物収容済みコンテナＷの積載数が少ないときに、収穫装置５の重量によって左側の走行装置３の接地圧が増大するのをできるだけ小さく抑えられる。また、操縦部１３が右側の走行装置３の前部上方に重なるように配置されるので、操縦部１３に搭乗した操縦者の体重は、機体の左右反対側の左側走行装置３の接地圧に関与する度合いが少なくなる。そして、前部収容台１１が側部収容台９より機体左右方向内側で右側の走行装置３の前方に配置されているので、収穫物収容済みコンテナＷを積載数が増えて前部収容台１１に収穫物収容済みコンテナＷを載置しても、その前部収容台１１に載置した収穫物収容済みコンテナＷの重量は、機体の左右反対側の左側走行装置３の接地圧に関与する度合いを少なく抑えられる。更に、収穫物収容済みコンテナＷを積載数にかかわらず、収穫時において常に収穫物が投入されて収穫物の重量がかかる収穫物受入部Ｒが、側部収容台９より機体左右方向内側で右側の走行装置３の後方に配置されているので、この収穫物受入部Ｒにおける重量についても、機体の左右反対側の左側走行装置３の接地圧に関与する度合いを少なく抑えられる。従って、この野菜収穫機は、上記の配置構成が効果的に統合して、側部収容台９を右側の走行装置３の外側方で機体前部から機体後部にかけて配置したものでありながら、収穫物収容済みコンテナＷの積載数が変動しても機体の左右重量バランスの変動が小さくできて、作業性及び機体の操縦性が良いものとなる。
【００１３】
上記図示例の野菜収穫機は、前部収容台１１を機体側に対して回動可能に取付けて、前部収容台１１が前方に倒伏し上面側にコンテナを載置可能になる状態と、前部収容台１１が上方回動し機体側に収納される状態とに切換え可能に構成することにより、前部収容台１１を使用しない非作業時等に前部収容台１１を折りたたんで機体をコンパクトにできる。更に、前部収容台１１を上方回動し起立姿勢にしたときにステップ面が上方に向くようにステップ部２１を前部収容台１１に設けると、前部収容台１１の収納時に、この前部収容台１１に設けたステップ部２１を利用して、前部収容台１１の後側に位置する操縦部１３に搭乗するのが一層容易に行えるようになる。特に、操縦部１３の外側方の側部収容台９上にコンテナが満載されているときに便利である。また、前部収容台１１の上面は、図３の要部拡大断面図に示すように、前上がりに所定角度θを傾斜してコンテナを収容積載することにより、機体走行時の前後の揺れ等によるコンテナの落下を防止することができる。前部収容台１１の基部の高さ位置を側部収容台９の終端より所定の落差寸法Ｈの下位位置に設定することにより、側部収容台９の前端側から前部収容台１１へのコンテナの移動が容易となる。
【００１４】
つぎに、コンテナ収容部を水平回動可能な側部収容台によって構成した例について説明する。図４に水平回動可能な側部収容台の構成例の平面図を示す。以下において，前記同様の部材はその符号を付することにより説明を省略する。図４において、側部収容台を前後に分割して後側の部分収容台２３と前側の部分収容台２４とによって構成する。前側の部分収容台２４はその前端に支軸２５を設け、直角展開位置まで水平回動可能に構成する。また、前側の部分収容台２４に電動機２６を設け、かつ、分離可能なクラッチ２７ａ，２７ｂを両部分収容台２３、２４の間に設けて電動機２６の動力を後側の部分収容台２３に伝達し、両部分収容台２３、２４を単一動力源で移送駆動する。
【００１５】
このように構成することにより、収穫処理された収穫物の投入を受けたコンテナＷは後側の部分収容台２３から前側の部分収容台２４の終端まで動力移送される。これを前部収容台１１に移送する際は、図５の動作状態平面図のように、前側の部分収容台２４を展開位置まで回動して前部収容台１１と直列し、電動機２６により移送駆動することにより、容易に移し変えすることができる。
【００１６】
また、図６の側部収容台の別構成例の平面図のように、後側の部分収容台２３を動力移送手段、前側の部分収容台２４ａを非駆動型の移送手段により構成する場合に、この前側の部分収容台２４ａの前端にコンテナを検出して後側の部分収容台２３の送り動作を止めるためのコンテナ検出センサ２８を設けるとともに、その近傍のコンテナの整列収容範囲を超える部分Ｌを移送手段のない抵抗部２９として構成する。この抵抗部２９は、前側の部分収容台２４ａ上を浮動するコンテナの進入を抑制する。
【００１７】
上記のように構成することにより、前側の部分収容台２４ａの上にコンテナが満載された状態で後側の部分収容台２３からコンテナが押し出された場合にのみ抵抗部２９へのコンテナの前進進入を許すことによりコンテナ検出センサ２８の誤作動を防止し、満載センサとしての機能を確保することがでる。
【００１８】
さらに、操縦部１３に配置したスイッチ等によって前側の部分収容台２４を動力回動させるように構成することにより、オペレータが圃場に降りることなく、前部収容台１１へのコンテナ移送を遠隔操作することができる。
【００１９】
なお、上記において、側部収容台を直角展開位置まで回動させて前部収容台１１に直列する構成であれば、側部収容台が一体構成であっても、または、非駆動型の移送手段であっても、前記同様に収穫物収納済みコンテナを前部収容台１１に容易に移送することができることが明らかであることから、その説明を省略する。また、機体の後部に後部収容台を付加して構成する場合も、前部収容台１１と同様であることから、その説明を省略する。
【００２０】
つぎに、コンテナ収容部の前後部収容台を回動可能に構成した例について説明する。図７に前後部収容台を回動可能に構成した野菜収穫機の平面図を示す。図７において、機体前部に前部収容台３１を付設し、また、機体後部に後部収容台３２を付設する。これら前部収容台３１および後部収容台３２をそれぞれ支軸３１ａ，３２ａによって軸支して側部収容台９上まで回動可能に構成する。前部収容台３１と後部収容台３２は、側部収容台９の上段位置で前後に直列して収穫物収納済みコンテナを移送積載可能にコンテナ収容部を構成する。
【００２１】
上記構成のコンテナ収容部は、まず、前部収容台３１と後部収容台３２を側部収容台９の上段位置に回動させた状態でコンテナを収容する。この側部収容台９の上段位置の前部収容台３１と後部収容台３２にコンテナが満載収容されると、それぞれを機体の全部または後部に回動移動し、次いで、下段の側部収容台９にコンテナを収容することができる。したがって、複数のコンテナを一括して迅速に機体の前後位置に収容することができる。
【００２２】
つぎに、側部収容台と前部収容台との間に移送手段を設けたコンテナ収容部の構成例について説明する。側部収容台と前部収容台との間に移送手段を設けた野菜収穫機の平面図とその側面図を、それぞれ図８，図９に示す。図８および図９において、操縦部１３の側方を乗降スペースとして側部収容台９を短く形成し、この側部収容台９の前端位置の取付け基部側に設けた支軸３３に四分円弧の角度範囲に形成したレール体３５を水平回動により側部収容台９から出没可能に軸支する。側部収容台９はベルトコンベヤにより構成し、その終端位置のコンテナの排出を検出してモータ３７でコンテナを移送駆動するためのスイッチ３６を設ける。
【００２３】
上記構成のコンテナ収容部は、コンテナが側部収容台９上に満載収容された時に、レール体３５を前部収容台１１まで展開することにより、このレール体３５に沿ってコンテナを容易に受け渡しすることができる。スイッチ３６を操作することにより、コンテナを移動した後に側部収容台９の終端までコンテナが移送される。したがって、オペレータが側部収容台９上のコンテナの送り作業を要することなく前部収容台１１に移し変えることができる。
【００２４】
つぎに、コンテナガイドを備えたコンテナ収容部について説明する。コンテナガイドを備えた野菜収穫機の平面図を図１０に示す。図１０において、搬送コンベヤ４１によって側部収容台を構成し、この搬送コンベヤ４１の外側方に平行して機体の前後方向に延び、前部が円弧状に転向して前部収容台１１に至るガイドフレーム４２によるコンテナガイドを設ける。このガイドフレーム４２は、移送されるコンテナが乗り越えない程度のガイドフェンスとして、その上端の高さ位置を搬送コンベヤの搬送面より高く形成する。
【００２５】
上記構成のコンテナ収容部は、ガイドフレーム４２がガイドフェンスとして搬送コンベヤ４１からのコンテナの落下を防止することができる。コンテナの荷扱いの際は、ガイドフレーム４２の上端縁にコンテナを乗せてガイドレールとして滑らせることによりコンテナの移動作業が容易となるので、搬送コンベヤ４１から前部収容台１１までコンテナを容易に移動することができる。
【００２６】
また、他の構成例に係るコンテナガイド付き野菜収穫機の平面図とその側面図を、それぞれ図１１，図１２に示す。図１１，図１２において、搬送コンベヤ４１とその外周を囲むフレーム４３によるコンテナガイドとによって側部収容台を形成する。搬送コンベヤ４１は、フレーム４３の上端縁を基準高さ位置としてその搬送面を出没可能に、端部を支軸４５によって回動可能にフレーム４３に軸支する。
【００２７】
上記構成の側部収容台は、機体走行に際して搬送コンベヤ４１を下降させ、その搬送面をフレーム４３の上端縁より下位位置４１ａに保持することにより、上記同様にフレーム４３をガイドフェンスとして側部収容台からのコンテナの落下を防止することができる。コンテナを荷扱いする時は、フレーム４３の上端縁にコンテナを乗せて滑らせるガイドレールとしてコンテナの移動作業が容易となる。
【００２８】
また、必要に応じて搬送コンベヤ４１を上昇させてその搬送面をフレーム４３の上端縁より高位に保持することにより、搬送コンベヤ４１によってコンテナを移送する際のフレーム４３との接触による搬送抵抗を小さく抑えることができる。また、側部収容台のコンテナを側方に降ろす場合等に、フレーム４３に引っ掛かることなくコンテナを容易に取り出すことができる。
【００２９】
上記の他に、図１３のコンテナガイドのその他の構成例に係る横断面図（ａ）（ｂ）のように、搬送コンベヤ４１の外側方に沿って設けた一本のフレーム４６を支軸４６ａによって外方に開閉可能に構成した例、および、搬送コンベヤ４１の両側方に沿って設けた２本のフレーム４７，４７を昇降動作可能に構成した例についても、フレームと搬送コンベヤが相対的に上下動作する構成であるから、同様の作用効果を奏するものである。
【００３０】
つぎに、野菜収穫機の収穫装置側にコンテナ収容部を構成する例について説明する。収穫装置側にコンテナ収容部を構成した野菜収穫機の平面図、側面図、および背面図をそれぞれ図１４，図１５，図１６に示す。図１４〜図１６において、機体の後部には、収穫物搬送装置７の終端の収穫物受入部Ｒで収穫物の投入を受けたコンテナを機体の横断方向に移送するコンベヤ５１を配置する。このコンベヤ５１は、掘取側に配置された収穫装置５の外側端まで延ばし、そのコンテナを受けて収穫装置５の外側方に整列収容するための掘取側収容台５３を設ける。収穫装置５の排葉部５ａは、コンベヤ５１の後方まで延長し、コンベヤ５１の上方部分にカバー５ｂを取付ける。
【００３１】
収穫物受入部Ｒにはコンテナダンパ７ａの下降を検出するプレートスイッチ５１ａを設け、収穫装置５の掘取クラッチと連動して電源が入るモータ５１ｂをコンベヤ５１のなるべく終端側に取付ける。コンテナの満載収容時は、コンテナダンパ７ａの下降に応じてプレートスイッチ５１ａによりモータ５１ｂを制御し、掘取側収容台５３の方向にコンベヤ５１を一定時間駆動する。また、掘取側収容台５３を前下がりに傾斜させ、その始端部にセンサーバー５３ａと満載検出スイッチ５３ｂを設ける。
【００３２】
上記構成のコンテナ収容部により、コンテナが収穫物によって満杯になると、その都度、コンベヤ５１によって掘取側収容台５３にコンテナが送られる。コンベヤ５１は掘取側収容台５３のコンテナ満載検出スイッチ５３ｂがオンになるまで自動送りによってコンテナを送出する。したがって、掘取側収容台５３のコンテナの積載配置による重量バランスの均等化とともに、コンテナ収容量の拡大を図ることができる。
【００３３】
つぎに、空コンテナを供給するためのコンテナシュータについて説明する。コンテナシュータを付設した野菜収穫機の平面図を図１７に示す。図１７において、収穫物搬送装置７から収穫物をコンテナに受ける収穫物受入部Ｒに臨んで機体後方に延びるコンテナシュータ６１を設ける。このコンテナシュータ６１は、その前端の側部に設けた支軸６１ａについてその側方の直角位置まで回動可能に軸支する。支軸６１ａは片側に、または選択可能に両側に構成する。
【００３４】
上記構成のコンテナシュータ６１は、回動させて向きを変えることにより、作業に適した位置で空コンテナを積載することが可能となる。また、圃場における機体転向に際し、狭い場所でも邪魔にならないように状況に合わせて調節することができる。
【００３５】
また、図１８の別構成のコンテナシュータを付設した野菜収穫機の平面図のように、コンテナシュータ６３の左右方向の中心線上に支軸６３ａを設け、その左右回動用のモータを取付け、回動制御用のスイッチ６４を作業者席７ｂに近接して設けることにより、中割作業によって機体の両側が未掘状態で作業者が圃場に降りられない場合も、コンテナシュータ６３の向きを変えることができる。さらに、操縦部１３にも回動制御用のスイッチを配置することにより、野菜収穫機の運転に際してコンテナシュータ６３の向きを変えることができるので、特に、機体後進に際して容易に視界を確保することができる。
【００３６】
つぎに、屑用コンテナ収容台について説明する。屑用コンテナ収容台を備えた野菜収穫機の平面図を図１９に示す。図１９において、収穫物搬送装置７の作業者席７ｂを側部収容台９の上方に設け、この側部収容台９の機体後方位置に屑用コンテナ収容台７１を配置する。この屑用コンテナ収容台７１に屑用コンテナを置き、収穫物搬送装置７における選別作業によって分別された屑ニンジン等を収納する。
【００３７】
上記構成の屑用コンテナ収容台７１は、収穫物搬送装置７に臨む作業者席７ｂの側方に近接して屑用コンテナを配置できるので、効率よく選別作業をすることができ、また、コンテナ交換も容易にできる。屑用コンテナを使用しないときは、代わりにコンテナを置きとして利用できるので、コンテナの積載数を増加することができる。
【００３８】
また、図２０の別の構成の屑用コンテナ収容台を備えた野菜収穫機の側面図に示すように、屑用コンテナ収容台７３を作業者席７ｂの方向に跳ね上げ可能に構成する。このように構成することにより、屑用コンテナ収容台７３を折りたたんで作業者席７ｂによってロックすることができ、その結果、機体収納時のコンパクト化を図ることができる。
【図面の簡単な説明】
【図１】本発明に係るコンテナ収容型野菜収穫機の側面図
【図２】図１の野菜収穫機の平面図
【図３】前部収容台の要部拡大断面図
【図４】水平回動可能な側部収容台の構成例の平面図
【図５】動作状態平面図
【図６】側部収容台の別構成例の平面図
【図７】前後部収容台を回動可能に構成した野菜収穫機の平面図
【図８】側部収容台と前部収容台との間に移送手段を設けた野菜収穫機の平面図
【図９】図８の野菜収穫機の側面図
【図１０】前部収容台に至るコンテナガイドを備えた野菜収穫機の平面図
【図１１】他の構成例に係るコンテナガイド付き野菜収穫機の平面図
【図１２】図１１のコンテナ収容部の側面図
【図１３】コンテナガイドのその他の構成例に係る横断面図（ａ）（ｂ）
【図１４】収穫装置側にコンテナ収容部を構成した野菜収穫機の平面図
【図１５】図１４の野菜収穫機の側面図
【図１６】図１４の野菜収穫機の背面図
【図１７】コンテナシュータを付設した野菜収穫機の平面図
【図１８】別の構成のコンテナシュータを付設した野菜収穫機の平面図
【図１９】屑用コンテナ収容台を備えた野菜収穫機の平面図
【図２０】別の構成の屑用コンテナ収容台を備えた野菜収穫機の側面図
【符号の説明】
３  走行装置
５  収穫装置
７  収穫物搬送装置
７ｂ  作業者席
９  側部収容台
１１  前部収容台
１３  操縦部
２１  ステップ
２３、２４、２４ａ  部分収容台
２５  支軸
２８  コンテナ検出センサ
２９  抵抗部
３１  前部収容台
３１ａ，３２ａ  支軸
３２  後部収容台
３３  支軸
３５  レール
４２  ガイドフレーム
４３、４６  フレーム
４６ａ  支軸
５３  掘取側収容台
６１  コンテナシュータ
６１ａ  支軸
６３  コンテナシュータ
６３ａ  支軸
Ｒ  収穫物受入部
Ｗ  コンテナ
【図１】
2004187572.tif 000003
【図２】
2004187572.tif 000004
【図３】
2004187572.tif 000005
【図４】
2004187572.tif 000006
【図５】
2004187572.tif 000007
【図６】
2004187572.tif 000008
【図７】
2004187572.tif 000009
【図８】
2004187572.tif 000010
【図９】
2004187572.tif 000011
【図１０】
2004187572.tif 000012
【図１１】
2004187572.tif 000013
【図１２】
2004187572.tif 000014
【図１３】
2004187572.tif 000015
【図１４】
2004187572.tif 000016
【図１５】
2004187572.tif 000017
【図１６】
2004187572.tif 000018
【図１７】
2004187572.tif 000019
【図１８】
2004187572.tif 000020
【図１９】
2004187572.tif 000021
【図２０】
2004187572.tif 000022